(57)【要約】【課題】使用者が玩具として楽しめる一方、同時に任意の標章の認識度を高める万華鏡を提供する。【解決手段】  模様を形成する観察対象物に、印刷または造形により任意の標章を表現したものを含むことにより、標章をより速やかかつ好意的に印象付けることを可能とする。【選択図】  図１
2006145808.tif 000002
【特許請求の範囲】
【請求項１】
複数の反射面に観察対象物が映し出され、模様を形成する万華鏡であって、観察対象物に、印刷または造形により任意の標章を表現した部分を持つものを含む万華鏡。
【請求項２】
観察対象物の標章を表現した箇所の全体が、観察用開口から視認される範囲に収まる事が可能である観察対象物の可視部の構成を備える、請求項１の万華鏡。
【請求項３】
観察対象物の標章を表現した箇所の一部もしくは全体が、観察用開口から視認される範囲を超える場合の有る観察対象物保持部の構成を備える、請求項２の万華鏡。
【発明の詳細な説明】
【技術分野】
【０００１】
本発明は、標章の認識度を高める、宣伝効果を伴った万華鏡に関わる。
【背景技術】
【０００２】
従来、万華鏡に関しては、形状、光線の供給方法や観察対象物の保持方法などにさまざまな考案がなされているが、その目的とするところは、幾重にも繰り返された反射によって形成される模様の美しさや、それが刻々と変化する様を楽しむ玩具の提供である。
【０００３】
一方、反射を利用したディスプレー装置の考案が多くある。
【０００４】
なお、本発明に関連する公知技術として次の特許文献１、２、３、４、を挙げることが出来る。
【特許文献１】特開２０００−３３００７１号公報
【特許文献２】特開２００４−２４６２４６号公報
【特許文献３】特開２００３−５１２５号公報
【特許文献４】実全平０１−１７７５６８号公報
【発明の開示】
【発明が解決しようとする課題】
【０００５】
従来、万華鏡を広告媒体として利用する場合、万華鏡の筐体外部面に広告を表すなど、万華鏡の機能には影響しない方法が採られている。
【０００６】
一方、ディスプレー装置は、あくまでもアピールしたい目的物を目立たせることのみが目的であり、また広くアピールする目的から、その構造も大きく、玩具として操作し造形を楽しむという物では無い。
【０００７】
他方、標章は主に特定の団体、ブランド、商品、サービス、催し物等を想起させるものとして、区別しやすく印象に残るようデザインに工夫を凝らした意匠作品であるが、それ自体を注視、観察される機会は少ない。他との区別を認識させるまでに標章を印象付けるためには、看板や報道媒体による宣伝広告での露出度を高くし、視界のどこかに留まる機会を増やすという手法が用いられる。
【０００８】
本発明は、使用者が万華鏡を玩具として楽しめる一方、同時に万華鏡の機能を活用して標章を注視させることで、効果的に認識度を高めることが出来る万華鏡を提供することに関する。
【課題を解決するための手段】
【０００９】
上記目的を達する本発明の万華鏡は、複数の反射面に、観察対象物が映し出され、模様を形成する万華鏡であって、観察対象物に、印刷または造形により任意の標章を表現したものを含むことを特徴とする。
【発明の効果】
【００１０】
観察対象物は、回転や移動、また像の反射を繰り返し、上下、左右、表裏など様々な連続模様を形成する。観察対象物は標章を表現した部分或いは片だけで構成されなくてよいので、様々な色や形状の観察対象を混合することにより、様々なイメージの万華鏡模様を作り出すことが可能である。
【００１１】
観る者はそれを万華鏡の模様として、宣伝の意図を意識する、しないに関わらず注視することとなる。
【００１２】
標章の意匠はそれ自体が見るものに瞬間的にそれと判別できる特徴を持たせることを考慮して考案されたものであり、まとまりが有りかつ特徴的な意匠であることが通常であるので、万華鏡の観察対象としても適当であり、また注視することでより印象に残る万華鏡の観察対象とする本発明は、他との区別を認識させる標章の効果をより速やかに発揮させるのに有用である。
【００１３】
また、観察対象物は必ずその鏡像を伴って幾何学的な映像を描き出すので、多くの使用者が美しいと感じ、より好意的に見られることとなり、引いてはその標章が明示する団体、ブランド、商品、サービス、催し物等への印象も良いものとなることが期待できる。
【００１４】
さらに、上記構造の万華鏡本体は多く市場に出回っており製造体制が整っているので、観察対象物を変更するだけで効果を生む本発明は、迅速、安価に、供給が可能である。
【発明を実施するための最良の形態】
【００１５】
以下、本発明の実施の形態を図に基づいて説明する。
【００１６】
図１は本発明の実施形態に係る万華鏡本体の断面斜視図である。
【００１７】
万華鏡の筐体１内部に反射面を持つものを複数枚含む板状体２及び３を、反射面を中側に向け中空の柱をなすように組む。万華鏡模様を形成するに足る複数の反射面があれば、全ての面が反射面である必要はない。
【００１８】
筐体１の一端に透明な仕切り板５と光の透過性の高い間仕切り板６により空間を設け、該空間内に観察対象物７及び任意の標章を表現した部分を持つ観察対象物８を、移動可能でかつ飛散しないように保持する。筐体１の他端には、反射体に映し出された像が観察できる位置に観察用開口４を備える。
【００１９】
観察対象物７及び任意の標章を表現した部分を持つ観察対象物８は、複数の反射面に反射して万華鏡模様を形成し、該標章は使用者が注視することで記憶される。
【００２０】
図２及び図3は本発明の実施の形態に係る観察対象物を示す。
任意の標章を表現した部分を持つ観察対象物８は、図２に示すように全体が任意の標章を表現したものであってもよいし、図３に示すように全体の一部に任意の標章を表現した部分９を備えてもよい。
【００２１】
反射体の数や材質、光源の種類、観察対象物の保持方法等、本発明の目的を変じない万華鏡の構成要素に関しては任意の方式を選定してもよい。
【００２２】
図４は第２の実施形態及び第３の実施形態に係る観察対象物保持部部分図、図５のイ、ロ、ハ、は図４の観察対象物よりなる万華鏡模様の例である。
【００２３】
本形態に係る万華鏡は、観察対象物の標章を表現した部分の全体が、万華鏡模様を形成する柱の内壁１１により形成された元画像の可視範囲に収まる各部位の構成を備える。これにより、該標章の全体像が視認できるため、使用者はより明瞭に該標章を認識することが出来る。
【００２４】
第３の実施形態では、観察対象物保持部１２は、万華鏡模様を形成する柱の内壁１１により限定された元画像の可視範囲を超えた部分を持つ。これにより標章を表した部分を持つ観察対象物８は、時には全体、時には部分を反射面に映し出し、より多様な模様を形成する。
【００２５】
一例として、観察対象物保持部１２内に保持された、観察対象物７および標章を表現した部分を持つ観察対象物８が、３枚の等しい寸法の反射体を各々６０度の角度を持って組み形成した内壁１１に反射して形成する万華鏡模様は、例えば図５に示される模様の連続となる。標章は、その原型を視認出来る時もあれば、一部分が反射を繰り返して原型と異なる幾何学模様として認識される時もある。このことにより、使用者は、多様な万華鏡模様を形作り観察する能動的な行為を楽しみながら、時折視認される標章の原型を注視することで、該標章を速やかに、かつ好感を伴って記憶に留めることが期待できる。
【図面の簡単な説明】
【００２６】
【図１】本発明の実施の形態に係る万華鏡の断面斜視図である。
【図２】本発明の実施の形態に係る観察対象物の拡大図である。
【図３】本発明の実施の形態に係る観察対象物の拡大図である。
【図４】本発明の第２の実施形態に係る観察対象物保持部部分図である。
【図５】図４に示す観察対象物が形成する万華鏡模様の例である。
【符号の説明】
【００２７】
１    万華鏡筐体
２    反射面を持つ板状体
３    光の透過性のない板状体
４    観察用開口
５    透明な間仕切り板
６    光の透過性の高い間仕切り板
７    観察対象物
８    標章を表現した部分を持つ観察対象物
９    標章を表現した部分
１０  標章で無い部分
１１  万華鏡模様を形成する柱の内壁
１２  観察対象物保持部
【図１】
2006145808.tif 000003
【図２】
2006145808.tif 000004
【図３】
2006145808.tif 000005
【図４】
2006145808.tif 000006
【図５】
2006145808.tif 000007